(57)【特許請求の範囲】
【請求項１】
デジタル放送で放送される各番組に関する番組情報を取得し、編集して電子番組表を出力するデジタル放送受信装置において、
前記各番組に付与された少なくとも大分類および大分類よりも詳細な分類である中分類に定義分けされたジャンルを含む番組情報を取得する番組情報取得手段と、
前記電子番組表に表示される番組情報を各番組の前記ジャンルに応じて色分け表示するためのジャンル色分け設定を行うジャンル色分け設定手段と、
前記ジャンル色分け設定手段で設定された各番組のジャンル色分け設定を記憶するジャンル色分け設定記憶手段と、
前記取得された各番組の番組情報に含まれる前記ジャンルを検出し、その検出結果と前記記憶されている各番組のジャンル色分け設定に基づいて、電子番組表に表示される番組情報の表示色を決定するジャンル色分け決定手段と、
前記ジャンル色分け決定手段の決定に基づいて各番組の番組ジャンルに対応した色表示を行う電子番組表を作成する電子番組表作成手段と、
前記ジャンル色分け設定手段により設定されたジャンルおよびその表示色からなる一対の設定情報を、前記電子番組表近傍に予め設定された優先順位で並べて表示するジャンル色分け設定表示手段と、を備え、
前記ジャンル色分け決定手段は、前記番組に対して複数のジャンルが検出された場合に、前記中分類に定義されたジャンルに設定された色を前記大分類に定義されたジャンルに設定された色より優先させて表示色として決定し、かつ検出された複数のジャンルそれぞれの定義された分類が同じ場合にはジャンル色分け設定表示手段によって前記電子番組表に並べて表示された前記設定情報の表示位置に応じた優先順位で表示色を決定することを特徴とするデジタル放送受信装置。
【請求項２】
放送される各番組に関する番組情報を取得し、編集して電子番組表を出力する電子番組表の表示制御装置において、
前記各番組に付与された少なくとも大分類および大分類よりも詳細な分類である中分類に定義分けされたジャンルを含む番組情報を取得する番組情報取得手段と、
前記電子番組表に表示される番組情報を各番組の前記ジャンルに応じて色分け表示するためのジャンル色分け設定を行うジャンル色分け設定手段と、
前記ジャンル色分け設定手段で設定された各番組のジャンル色分け設定を記憶するジャンル色分け設定記憶手段と、
前記取得された各番組の番組情報に含まれる前記ジャンルを検出し、その検出結果と前記記憶されている各番組のジャンル色分け設定に基づいて、電子番組表に表示される番組情報の表示色を決定するジャンル色分け決定手段と、
前記ジャンル色分け決定手段の決定に基づいて各番組の番組ジャンルに対応した色表示を行う電子番組表を作成して表示する電子番組表作成表示手段と、
前記ジャンル色分け設定手段により設定されたジャンルおよびその表示色からなる一対の設定情報を、前記電子番組表近傍に予め設定された優先順位で並べて表示するジャンル色分け設定表示手段と、を備え、
前記ジャンル色分け決定手段は、前記番組に対して複数のジャンルが検出された場合に、前記中分類に定義されたジャンルに設定された色を前記大分類に定義されたジャンルに設定された色より優先させて表示色として決定し、かつ検出された複数のジャンルそれぞれの定義された分類が同じ場合にはジャンル色分け設定表示手段によって前記電子番組表に並べて表示された前記設定情報の表示位置に応じた優先順位で表示色を決定することを特徴とする電子番組表の表示制御装置。
【発明の詳細な説明】
【０００１】
【発明の属する技術分野】
この発明は、デジタル放送を受信するデジタル放送受信装置に関し、特に電子番組表の表示に関するものである。
【０００２】
【従来の技術】
今日では、デジタル放送で放送される番組の選択（番組選択、または選局処理）において、電子番組表が用いられることが多くなっている。
【０００３】
デジタル放送受信装置は、デジタル放送で放送される番組に関する情報、いわゆる番組付加情報であるＳＩ（Ｓｅｒｖｉｃｅ  ｉｎｆｏｒｍａｔｉｏｎ）を受信し、電子番組表を作成し、ユーザへ提供する。
【０００４】
社団法人電波産業界（ＡＲＩＢ（Ａｓｓｏｃｉａｔｉｏｎ  ｏｆ  Ｒａｄｉｏ  ａｎｄ  Ｂｕｓｉｎｅｓｓｅｓ））からは、番組付加情報に関する標準規格書が発行されており、そこには、各放送局からデジタル放送される各番組について、ジャンル分類を付すことが決められ、各番組にはジャンル大分類またはジャンル中分類が付されている。
【０００５】
そして、従来のデジタル放送受信装置は電子番組表について、番組に付されたジャンル分類を用い他のジャンルが付された番組との区分け表示等を行っていた。
【０００６】
しかし、従来のデジタル放送受信装置においては、一つのイベントに類似したジャンル大分類とジャンル中分類が指定された場合に、どのジャンルを優先して表示するかを判断していなかった。
【０００７】
また、従来の技術においては、例えば特開平１１−２２０７０３号公報にはテレビ番組の情報を視聴者の嗜好に適合した番組内容の認識を容易にする番組検索表示装置の提案が記載されている。しかしながら、この提案は視聴番組データ記憶手段に記憶されたテレビ番組の映像データとサービス情報を視聴優先順位に従いテレビ受信機の画面に表示するもので、これもまた一つのイベントに類似したジャンル大分類とジャンル中分類が指定された場合に、どのジャンルを優先して表示するかを判断していなかった。
【０００８】
このため、ユーザに対して、より詳細なジャンルを提示することができなかった。また、一つのイベントに対してジャンル大分類が複数指定された場合には、どのジャンルを優先して表示するのかを判断していなかった。さらに、一つのイベントに対してジャンル中分類が複数指定された場合に、どのジャンルを優先して表示するのかも判断していなかった。このため、電子番組表において、各番組の適切なジャンルを表示したいというユーザの希望を叶えられないという問題があった。
【０００９】
【発明が解決しようとする課題】
そこで、この本発明は上記問題を解決するためになされたものであり、電子番組表において、各番組の適切なジャンルを表示することを目的とする。
【００１０】
【課題を解決するための手段】
この発明に関わるデジタル放送受信装置は、デジタル放送で放送される各番組に関する番組情報を取得し、編集して電子番組表を出力するデジタル放送受信装置において、各番組に付与された少なくとも大分類および大分類よりも詳細な分類である中分類に定義分けされたジャンルを含む番組情報を取得する番組情報取得手段と、電子番組表に表示される番組情報を各番組のジャンルに応じて色分け表示するためのジャンル色分け設定を行うジャンル色分け設定手段と、ジャンル色分け設定手段で設定された各番組のジャンル色分け設定を記憶するジャンル色分け設定記憶手段と、前記取得された各番組の番組情報に含まれる前記ジャンルを検出し、その検出結果と前記記憶されている各番組のジャンル色分け設定に基づいて、電子番組表に表示される番組情報の表示色を決定するジャンル色分け決定手段と、前記ジャンル色分け決定手段の決定に基づいて各番組の番組ジャンルに対応した色表示を行う電子番組表を作成する電子番組表作成手段と、前記ジャンル色分け設定手段により設定されたジャンルおよびその表示色からなる一対の設定情報を、前記電子番組表近傍に予め設定された優先順位で並べて表示するジャンル色分け設定表示手段と、を備え、前記ジャンル色分け決定手段は、前記番組に対して複数のジャンルが検出された場合に、前記中分類に定義されたジャンルに設定された色を前記大分類に定義されたジャンルに設定された色より優先させて表示色として決定し、かつ検出された複数のジャンルそれぞれの定義された分類が同じ場合にはジャンル色分け設定表示手段によって前記電子番組表に並べて表示された前記設定情報の表示位置に応じた優先順位で表示色を決定するものである。
【００１４】
【発明の実施の形態】
以下、図面を参照してこの発明の実施の形態を説明する。
【００１５】
図１はこの発明に係るＢＳデジタル放送受信機の概略を示すブロック図である。以下の説明では、デジタル放送の一例としてＢＳデジタル放送を例にとるが、放送形態にとらわれるものではなく、ＣＳデジタル放送や地上波デジタル放送、ケーブルＴＶ放送（ＣＡＴＶ）等のデジタル放送全般において、実施可能なものである。
【００１６】
符号１１はＢＳデジタル衛星放送信号を受信するアンテナ、符号１２は受信されたＢＳデジタル衛星放送信号から所望のデジタル放送を選択するチューナー、符号１３は選択されたデジタル放送のエラー訂正を実行するエラー訂正回路、符号１４はエラー訂正が行なわれたデジタル放送のスクランブルを解除するスクランブル制御回路、符号１５はスクランブルが解除されたデジタル放送の多重データを分離する多重データ分離回路、符号１６はＭＰＥＧ音声再生回路、符号１７はＭＰＥＧ映像再生回路、符号１８はＯＳＤ回路、符号１９はコントロール回路。符号２０はディスプレイ（例えばＴＶ）である。
【００１７】
ＢＳデジタル放送受信機は、放送局から送信された映像信号、音声信号とともにＳＩ（Ｓｅｒｖｉｃｅ  Ｉｎｆｏｒｍａｔｉｏｎ）情報が多重されて送信されたデジタル衛星放送信号がアンテナ１１で受信され、該当する受信信号がデジタル放送受信機内のチューナー１２に供給される。
【００１８】
チューナー１２は制御コントロール部（ＣＰＵ）からの制御信号に基づいて、受信信号から所定の伝送チャンネルを選択し、選択された伝送チャンネルの受信信号をエラー訂正回路１３へ出力する。
【００１９】
エラー訂正回路１３は、受信信号に復調処理を施した後、誤り訂正処理を行い、得られた受信信号をスクランブル制御回路１４に供給する。
【００２０】
スクランブル制御回路１４は、供給された受信信号にスクランブルが施されたものである場合には、このスクランブルを解除するデスクランブル処理を施して多重データ分離回路１５へと供給する。この場合の供給データは、複数のチャンネル及び番組のデータを含む多重データである。
【００２１】
多重データ分離回路１５は、受信信号のビットストリームに含まれる識別情報（ＩＤ）に基づいて上記多重データパケットを分離する。多重データ分離回路１５は、ＳＩ情報の番組情報を分離すると、これらの番組情報をコントロール回路１９に供給すると共に、パケット毎の映像信号についてはＭＰＥＧ映像再生回路１７に与え、音声信号についてはＭＰＥＧ音声再生回路１６に与える。
【００２２】
ＭＰＥＧ映像再生回路１７は、与えられた映像信号が圧縮符号化されたものであるため、この圧縮符号化データにデコード処理を施し、映像信号及び電子番組表（ＥＰＧ）に関する情報をＯＳＤ回路１８に出力する。
【００２３】
また、ＭＰＥＧ音声再生回路１６は、同様に与えられた音声信号が圧縮符号化されたものであるため、この圧縮符号化データにデコード処理を施し、音声信号をディスプレイ２０の音声回路に出力する。
【００２４】
符号１０はディスプレイ２０を内蔵するデジタル放送受信装置であるが、ディスプレイ２０とは別に構成されるセットトップボックス（ＳＴＢ）の形態でも良い。
【００２５】
ユーザはデジタル放送受信装置１０に備えられた操作ボタン（図示せず）を操作するか、またはリモコン１９ａの操作ボタンを操作し、コントロール回路１９を制御することによってデジタル放送受信装置１０を制御する。
【００２６】
図２はこの発明に係るコントロール回路１９に係る構成を示すブロック図である。符号１０１はアンテナ１１から入力された信号が入力される入力端子、符号１２は図１と同じく放送選局用のチューナー、符号１０３は受信したデジタル放送の中から番組に関する情報を取得する番組情報取得部である。この番組情報取得部１０３は図１に示すエラー訂正回路１３、スクランブル制御回路１４、多重データ分離回路１５が含まれ、受信したデジタル放送から番組に関する番組情報を取得する。
【００２７】
符号１０４ａはユーザが電子番組表の色分けを希望するジャンルを設定するためのジャンル色分け設定部、符号１０４ｂはジャンル色分け設定部１０４ａで設定されたジャンル色分け設定を記憶するためのジャンル色分け設定記憶部である。電子番組表のジャンル色分け設定については後述する。
【００２８】
符号１０５はジャンル色分け決定部である。ジャンル色分け決定部１０５は番組情報取得部１０３で所得された番組情報及び、ジャンル色分け設定記憶部１０４ｂに記憶されているジャンル色分け設定に基づいて、電子番組表のジャンル色分けを決定する。
【００２９】
ジャンル色分け決定部１０５では、番組に付与されたジャンル（放送局から送信される）を検出し、ジャンル色分けの優先度を判断する。
【００３０】
符号１０６は番組表作成部である。ジャンル色分け決定部１０５で決定されたジャンル色分けに基づいて、ジャンル色分けされた電子番組表を作成する。ここで作成された電子番組表はＯＳＤ回路１８を経て、図１にも示すディスプレイ２０に表示される。
【００３１】
図３はこの発明に係るデジタル放送受信装置の、電子番組表ジャンル色分け設定の一例を説明する図である。
【００３２】
この例ではディスプレイ２０が、デジタル放送受信装置１０に内蔵されている。ユーザがデジタル放送受信装置１０またはリモコン１９ａの操作ボタンを操作し、ジャンル色分け設定画面表示がディスプレイ２０に表示される。
【００３３】
符号３０はタイトル表示部である。タイトル表示部３０は電子番組表のジャンル色分け設定可能であることを示している。符号３４はアイコン表示部である。アイコン表示部３４はユーザがジャンル色分け設定可能な機能が、簡単な説明とともにアイコン表示されている。符号３５はリモコン操作説明表示部である。リモコン操作説明表示部３５は、ユーザがリモコンの上キー、下キー、左キー、右キーを操作することにより、画面に表示されているカーソルをそれぞれ上下左右に動かし、図示されない選択キーを操作することで設定したいと思うジャンルを選択することができる。
【００３４】
次に、ユーザによるジャンル色分け設定について説明する。
【００３５】
まずジャンルの選択について説明する。上述したように、アイコン表示部３４にはユーザがジャンル色分け設定可能な機能が表示されている。符号３０ａは映画を選択するアイコン、３０ｂは洋画を選択するアイコン、３０ｃは邦画を選択するアイコン、３０ｄはスポーツを選択するアイコン、３０ｅはスポーツニュースを選択するアイコン、３０ｆは野球を選択するアイコン、３０ｇはサッカーを選択するアイコン、３０ｈはゴルフを選択するアイコン、３０ｉはニュースを選択するアイコン、３０ｊは天気を選択するアイコン、３０ｋは交通を選択するアイコン、３０ｌはドキュメントを選択するアイコンである。
【００３６】
これらのアイコンのジャンルはＡＲＩＢで定義される大分類、中分類によらず混在表示されている。ＡＲＩＢで定義されるジャンルの大分類、中分類を、特にユーザが意識する必要はないからである。
【００３７】
ここで、上記混在表示されているアイコンの定義について説明する。
【００３８】
大分類に定義されるものは映画アイコン３０ａ、スポーツアイコン３０ｄ、ニュースアイコン３０ｉである。中分類に定義されるものは洋画アイコン３０ｂ、邦画アイコン３０ｃ、スポーツニュースアイコン３０ｅ、野球アイコン３０ｆ、サッカーアイコン３０ｇ、ゴルフアイコン３０ｈ、天気アイコン３０ｊ、交通アイコン３０ｋ、ドキュメントアイコン３０ｌである。
【００３９】
この例では映画アイコン３０ａ上にカーソルが表示されており、この状態でユーザがリモコン１９ａの設定ボタン（図示せず）を操作すると、電子番組表のジャンル色分け設定のためのジャンル（映画）が選択される。
【００４０】
次に選択されたジャンルの色選択について説明する。
【００４１】
電子番組表のジャンル色分け設定のためのジャンルが選択されると、続いて選択されたジャンルに対応表示させる色を選択するための表示が行われる。
【００４２】
符号３１は選択されたジャンルに対応表示させる色であり赤を、符号３２は選択されたジャンルに対応表示させる色であり緑を、符号３３は選択されたジャンルに対応表示させる色であり黄を、それぞれ選択可能であることの表示である。ユーザは上記と同様にカーソルを移動させ、表示された色の中から所望の色をカーソル選択し、リモコン１９ａの設定ボタンを操作して何色にするかを設定する。この一連の設定動作が図２に示すジャンル色分け設定部１０４ａに係り、設定情報がジャンル色分け設定記憶部１０４ｂに記憶される。
【００４３】
ここでこの発明の、第１の実施の形態を説明する。
【００４４】
図４はこの発明の、第１の実施の形態に係るデジタル放送受信装置に表示された電子番組表を示す図である。
【００４５】
符号４１ａは電子番組表に表示されたチャンネルを示している。ＡＢＣＴＶ、ＢＳ千葉、ＢＳ東京が電子番組表の横軸に並べて表示されている。符号４１ｂは時刻を示している。ＡＭ９、ＡＭ１０、ＡＭ１１、ＰＭ０の順に電子番組表の縦軸に表示されている。
【００４６】
符号４４、符号４５及び符号４６はジャンル色分け設定表示部である。ジャンル色分けが設定されたジャンルに対応する色がそれぞれ表示されている。ここでは映画４４は赤、洋画４５は緑、邦画４６は黄で表示されることを示している。
【００４７】
符号４２はジャンルを示すジャンル色表示部、符号４３は番組名を表示する番組名表示部である。この例では電子番組表に、番組「○○の橋」がジャンル色表示部４２に緑表示されるとともに、番組名表示部４３に番組名が表示されている。
【００４８】
ここでこの発明の、第１の実施の形態に係る電子番組表の表示動作について説明する。
【００４９】
ここでは、ジャンル色分け決定部１０５において、第１に、ＡＲＩＢで定義されたジャンル中分類とジャンル大分類のどちらの色を表示するかという表示順位の関係において、ジャンル中分類の方がジャンル大分類より優先順位が高くなるように設定されている。
【００５０】
また第２に、番組に付与されたジャンル分類が等しい（例えばジャンル中分類とジャンル中分類）場合には、ジャンル色分け設定表示部４４、４５、４６の位置関係において、番組表上で左に位置するほど優先順位を高くするように設定されている。
【００５１】
ユーザに設定されたジャンルはジャンル色分け設定表示部４４、４５、４６に示されているように、映画（ジャンル大分類）、洋画（ジャンル中分類）及び邦画（ジャンル中分類）である。図２に示すジャンル色分け設定記憶部１０４ｂには色に応じたジャンルが設定され、赤は映画、緑は洋画、黄は邦画となっている。
【００５２】
この例では、洋画が最も優先順位が高く、その次に邦画、映画と続く。
【００５３】
１つの番組において、ジャンル大分類とジャンル中分類、あるいはジャンル中分類が重複して付与される場合がある。このような場合にジャンル色分け決定部１０５では、ジャンル色分け設定記憶部１０４ｂに記憶されたジャンルに対して優先順位を設定する。
【００５４】
ここでは、番組「○○の橋」には映画、邦画、洋画のジャンルが全て付与されている。そして、ジャンル色分け設定記憶部１０４ｂに設定され、ジャンル色分け決定部１０５で決定された優先順位に基づいて、番組のジャンルは洋画の緑となる。ディスプレイ２０に表示された番組のジャンル色は洋画である緑で描画されているのでユーザにとってわかりやすいジャンル表示を提供できる。
【００５５】
図７はこの発明の、第１の実施の形態に係る電子番組表表示に係るフローチャートを示す図である。これらの動作は特に、図２に示すジャンル色分け設定記憶部１０４ｂ及びジャンル色分け決定部１０５に係る。
【００５６】
符号２０１は番組情報を取得するステップである。番組情報は番組情報所得部１０３で取得される。
【００５７】
符号２０２は取得された番組情報が、ジャンル色分け設定記憶部１０４ｂに設定されたジャンル中分類（洋画または邦画）と同一であるか否かが判断される。設定されたジャンル中分類と同一であれば符号２０３を付したステップ（Ｙｅｓ）へ進み、設定されたジャンル中分類と異なれば符号２０７を付したステップ（Ｎｏ）へ進む。
【００５８】
符号２０３は取得された番組情報が、ジャンル色分け設定記憶部１０４ｂに設定されたジャンル中分類（洋画）と同一であるか否かが判断される。設定されたジャンル中分類と同一であれば、符号２０４を付したステップ（Ｙｅｓ）へ進み、ジャンル色表示部４２は緑に表示される。設定されたジャンル中分類と異なれば、符号２０５を付したステップ（Ｎｏ）へ進む。
【００５９】
符号２０５は取得された番組情報が、ジャンル色分け設定記憶部１０４ｂに設定されたジャンル中分類（邦画）と同一であるか否かが判断される。設定されたジャンル中分類と同一であれば、符号２０６を付したステップ（Ｙｅｓ）へ進み、ジャンル色表示部４２は黄に表示される。設定されたジャンル中分類と異なれば、符号２０２を付したステップ（Ｎｏ）へ進み判断をやり直す。
【００６０】
符号２０７は取得された番組情報が、ジャンル色分け設定記憶部１０４ｂに設定されたジャンル大分類（映画）と同一であるか否かが判断される。設定されたジャンル大分類と同一であれば、符号２０８を付したステップ（Ｙｅｓ）へ進み、ジャンル色表示部４２は赤に表示される。設定されたジャンル大分類と異なれば、符号２０９を付したステップ（Ｎｏ）へ進み、その番組情報については、ジャンル色表示部４２を色分け表示しない。
【００６１】
このようにジャンル色分け決定部１０５において番組情報取得部１０３で所得された番組情報及び、ジャンル色分け設定記憶部１０４ｂに記憶されているジャンル色分け設定に基づいて、電子番組表のジャンル色分けを決定するようにしたので、ユーザに対してより詳細なジャンルを提示できる。
【００６２】
次にこの発明の、第２の実施の形態を説明する。
【００６３】
図５はこの発明の、第２の実施の形態に係るデジタル放送受信装置に表示された電子番組表を示す図である。
【００６４】
第１の実施の形態と同様に符号５１ａは電子番組表に表示されたチャンネルを示している。ＡＢＣＴＶ、ＢＳ千葉、ＢＳ東京が電子番組表の横軸に並べて表示されている。符号５１ｂは時刻を示している。ＡＭ９、ＡＭ１０、ＡＭ１１、ＰＭ０の順に電子番組表の縦軸に表示されている。
【００６５】
符号５４、符号５５及び符号５６はジャンル色分け設定表示部である。ジャンル色分けが設定されたジャンルに対応する色がそれぞれ表示されている。
【００６６】
ここでは第１の実施の形態とは異なり、ユーザに選択されたスポーツ５４は赤、ニュース５５は緑、映画５６は黄で表示されることを示している。
【００６７】
また、符号５２はジャンルを示すジャンル色表示部、符号５３は番組名を表示する番組名表示部である。この例では電子番組表に、番組「スポーツ＆ニュース」がジャンル色表示部５２に赤表示されるとともに、番組名表示部５３に番組名「スポーツ＆ニュース」が表示されている。
【００６８】
ここでこの発明の、第２の実施の形態に係る電子番組表の表示動作について説明する。
【００６９】
ここでも、ジャンル色分け決定部１０５において、第１に、ＡＲＩＢで定義されたジャンル中分類とジャンル大分類のどちらの色を表示するかという表示順位の関係において、ジャンル中分類の方がジャンル大分類より優先順位が高くなるように設定されている。
【００７０】
また第２に、番組に付与されたジャンル分類が等しい（例えばジャンル大分類とジャンル大分類）場合には、ジャンル色分け設定表示部54、55、56の位置関係において、番組表上で左に位置するほど優先順位を高くするように設定されている。
【００７１】
ユーザに設定されたジャンルはジャンル色分け設定表示部54、55、56に示されているように、スポーツ（ジャンル大分類）、ニュース（ジャンル大分類）及び映画（ジャンル大分類）である。ジャンル色分け設定記憶部104b（図２）には上述のようにユーザによりジャンルに応じた色が設定され、赤はスポーツ、緑はニュース、黄は映画となっている。
【００７２】
この例では、スポーツが最も優先順位が高く、その次にニュース、映画と続く。以下、その動作を説明する。
【００７３】
図８はこの発明の、第２の実施の形態に係る電子番組表表示に係るフローチャートを示す図である。これらの動作は特に、図２に示すジャンル色分け設定記憶部１０４ｂ及びジャンル色分け決定部１０５に係る。
【００７４】
符号３０１は番組情報を取得するステップである。番組情報は番組情報所得部１０３で取得される。
【００７５】
符号３０２は取得された番組情報が、ジャンル色分け設定記憶部１０４ｂに設定されたジャンル大分類（スポーツ、ニュースまたは映画）と同一であるか否かが判断される。設定されたジャンル大分類と同一であれば符号３０３を付したステップ（Ｙｅｓ）へ進み、設定されたジャンル大分類と異なれば符号３０９を付したステップ（Ｎｏ）へ進む。
【００７６】
符号３０３は取得された番組情報が、ジャンル色分け設定記憶部１０４ｂに設定されたジャンル大分類（スポーツ）と同一であるか否かが判断される。設定されたジャンル大分類と同一であれば、符号３０４を付したステップ（Ｙｅｓ）へ進み、ジャンル色表示部５２は赤に表示される。設定されたジャンル大分類と異なれば、符号３０５を付したステップ（Ｎｏ）へ進む。
【００７７】
符号３０５は取得された番組情報が、ジャンル色分け設定記憶部１０４ｂに設定されたジャンル大分類（ニュース）と同一であるか否かが判断される。設定されたジャンル大分類と同一であれば、符号３０６を付したステップ（Ｙｅｓ）へ進み、ジャンル色表示部５２は緑に表示される。設定されたジャンル大分類と異なれば、符号３０７を付したステップ（Ｎｏ）へ進む。
【００７８】
符号３０７は取得された番組情報が、ジャンル色分け設定記憶部１０４ｂに設定されたジャンル大分類（映画）と同一であるか否かが判断される。設定されたジャンル大分類と同一であれば、符号３０８を付したステップ（Ｙｅｓ）へ進み、ジャンル色表示部５２は黄に表示される。設定されたジャンル大分類と異なれば、符号３０２を付したステップ（Ｎｏ）へ進み、判断をやり直す。
【００７９】
符号３０９は取得された番組情報が、ジャンル色分け設定記憶部１０４ｂに設定されたジャンル大分類（スポーツ、ニュースまたは映画）とは異なり、この番組情報については、ジャンル色表示部５２を色分け表示しない。
【００８０】
このように番組に付与されたジャンル分類が等しい場合には、ジャンル色分け設定部１０４ａに設定されたジャンル表示の位置関係において、左に位置するほど優先順位を高くするように設定したので、ユーザは何をもってジャンル色が描画されるのかを知ることができる。
【００８１】
次にこの発明の、第３の実施の形態を説明する。
【００８２】
図６はこの発明の、第３の実施の形態に係るデジタル放送受信装置に表示された電子番組表を示す図である。
【００８３】
第１、第２の実施の形態と同様に符号６１ａは電子番組表に表示されたチャンネルを示している。ＡＢＣＴＶ、ＢＳ千葉、ＢＳ東京が電子番組表の横軸に並べて表示されている。符号６１ｂは時刻を示している。ＡＭ９、ＡＭ１０、ＡＭ１１、ＰＭ０の順に電子番組表の縦軸に表示されている。
【００８４】
符号６４、符号６５及び符号６６はジャンル色分け設定表示部である。ジャンル色分けが設定されたジャンルに対応する色がそれぞれ表示されている。
【００８５】
ここではユーザに選択されたスポーツ６４は赤、ニュース６５は緑、映画６６は黄で表示されることを示している。
【００８６】
また、符号６２ａ、６２ｂ、６２ｃはジャンルを示すジャンル色表示部、符号６３は番組名を表示する番組名表示部である。この例では電子番組表に、番組「スポーツ＆ニュース」がジャンル色表示部６２ａ、６２ｂ、６２ｃに赤、緑、黄と分割表示されるとともに、番組名表示部６３に番組名「スポーツ＆ニュース」が表示されている。
【００８７】
ここでこの発明の、第３の実施の形態に係る電子番組表の表示動作について説明する。
【００８８】
ここで、第３の実施の形態では第１、第２の実施の形態とは異なり、ジャンル色分け決定部１０５において優先順位を設定せず、ジャンル色分け設定表示部６４、６５、６６に表示されたジャンルが番組情報から取得されると、全てジャンル色表示部６２ａ、６２ｂ、６２ｃへ表示するようにしている。
【００８９】
ユーザに設定されたジャンルはジャンル色分け設定表示部６４、６５、６６に示されているように、スポーツ（ジャンル大分類）、ニュース（ジャンル大分類）及び映画（ジャンル大分類）である。ジャンル色分け設定記憶部１０４（図２）には上述のようにユーザによりジャンルに応じた色が設定され、赤はスポーツ、緑はニュース、黄は映画となっている。
【００９０】
この例では、優先順位を設定せず、ジャンル色分け設定表示部６４、６５、６６に表示されたジャンルが番組情報から取得されると、全てジャンル色表示部６２ａ、６２ｂ、６２ｃへ表示するようにしている。以下、その動作を説明する。
【００９１】
図９はこの発明の、第３の実施の形態に係る電子番組表表示に係るフローチャートを示す図である。これらの動作は特に、図２に示すジャンル色分け設定記憶部１０４ｂ及びジャンル色分け決定部１０５に係る。
【００９２】
符号４０１は番組情報を取得するステップである。番組情報は番組情報所得部１０３で取得される。
【００９３】
符号４０２は取得された番組情報が、ジャンル色分け設定記憶部１０４ｂに設定されたジャンル大分類（スポーツ、ニュースまたは映画）と同一であるか否かが判断される。設定されたジャンル大分類と同一であれば符号４０３を付したステップ（Ｙｅｓ）へ進み、設定されたジャンル大分類と異なれば符号４０９を付したステップ（Ｎｏ）へ進む。
【００９４】
符号４０３は取得された番組情報と設定されたジャンル分類に合致したジャンルの数（３つであるか）が判断される。合致したジャンルの数が３つであれば、符号４０４を付したステップ（Ｙｅｓ）へ進み、ジャンル色表示部６２ａ、６２ｂ、６２ｃのように３分割され赤、緑、黄に３色表示される。合致したジャンルの数が３つと異なれば、符号４０５を付したステップ（Ｎｏ）へ進む。
【００９５】
符号４０５は取得された番組情報と設定されたジャンル分類に合致したジャンルの数（２つであるか）が判断される。合致したジャンルの数が２つであれば、符号４０６を付したステップ（Ｙｅｓ）へ進み、合致したジャンルに対応した色で、ジャンル色表示部６２ａ、６２ｂのように２分割され、例えば赤、緑に２色表示される。合致したジャンルの数が２つと異なれば、符号４０７を付したステップ（Ｎｏ）へ進む。
【００９６】
符号４０７は取得された番組情報と設定されたジャンル分類に合致したジャンルの数が１つであるのでジャンル色表示部は分割せず、合致したジャンルに対応した色で、ジャンル色表示部６２ａが例えば赤に表示される。
【００９７】
符号４０９は取得された番組情報が、ジャンル色分け設定記憶部１０４ｂに設定されたジャンル大分類（スポーツ、ニュースまたは映画）とは異なり、この番組情報については、ジャンル色表示部４２を色分け表示しない。
【００９８】
このようにジャンル色分け設定表示部に表示されたジャンルが番組情報から取得されると、優先順位を決定せず、合致したジャンルをジャンル色表示部へ表示するようにしているので、ユーザが設定したジャンルを網羅できる。
【００９９】
【発明の効果】
この発明においては、ジャンル色分け設定手段によりユーザにとって適切なジャンル表示を電子番組表の各番組に対して施すことができ、また各番組に複数のジャンルが付与されている場合には、より詳細な分類として定義された中分類のジャンルに設定された色を優先して表示させ、かつ定義された分類が同じ場合には電子番組表に並べて表示されたジャンル色分け設定情報の表示位置に応じた優先順位で表示色を決定して表示させるようにしているので、ユーザにとってより嗜好に合った適切なジャンル表示が出来るとともに、電子番組表近傍に予め設定された優先順位で並べて表示された色分け設定情報を確認しながら電子番組表の色分けされた番組情報を閲覧することができるので、ユーザ自身がどのような優先度でジャンル色分け表示がされているかを確認でき、ユーザにとって極めて使い勝手の良い電子番組表を表示することのできる装置を提供することができる。
【図面の簡単な説明】
【図１】この発明に係るＢＳデジタル放送受信機の概略を示すブロック図。
【図２】この発明に係るコントロール回路に係る構成を示すブロック図。
【図３】この発明に係る電子番組表ジャンル色分け設定を説明する図。
【図４】この発明の、第１の実施の形態に係る電子番組表を示す図。
【図５】この発明の、第２の実施の形態に係る電子番組表を示す図。
【図６】この発明の、第３の実施の形態に係る電子番組表を示す図。
【図７】この発明の、第１の実施の形態に係るフローチャートを示す図。
【図８】この発明の、第２の実施の形態に係るフローチャートを示す図。
【図９】この発明の、第３の実施の形態に係るフローチャートを示す図。
【符号の説明】
１０  …  デジタル放送受信装置。
１１  …  アンテナ。
１２  …  チューナー。
１３  …  エラー訂正回路。
１４  …  スクランブル制御回路。
１５  …  多重データ分離回路。
１６  …  ＭＰＥＧ音声再生回路。
１７  …  ＭＰＥＧ映像再生回路。
１８  …  ＯＳＤ回路。
１９  …  コントロール回路。
２０  …  ディスプレイ。
３０  …  タイトル表示部。
３４  …  アイコン表示部。
３５  …  リモコン操作説明表示部。
３０ａ    …  映画を選択するアイコン。
３０ｂ    …  洋画を選択するアイコン。
３０ｃ    …  邦画を選択するアイコン。
３０ｄ    …  スポーツを選択するアイコン。
３０ｅ    …  スポーツニュースを選択するアイコン。
３０ｆ    …  野球を選択するアイコン。
３０ｇ    …  サッカーを選択するアイコン。
３０ｈ    …  ゴルフを選択するアイコン。
３０ｉ    …  ニュースを選択するアイコン。
３０ｊ    …  天気を選択するアイコン。
３０ｋ    …  交通を選択するアイコン。
３０ｌ    …  ドキュメントを選択するアイコン。
３１  …  選択されたジャンルに対応表示させる色。
３２  …  選択されたジャンルに対応表示させる色。
３３  …  選択されたジャンルに対応表示させる色。
４１ａ    …  電子番組表に表示されたチャンネル。
４１ｂ    …  時刻。
４２  …  ジャンル色表示部。
４３  …  番組名表示部。
４４  …  ジャンル色分け設定表示部。
４５  …  ジャンル色分け設定表示部。
４６  …  ジャンル色分け設定表示部。
５１ａ    …  電子番組表に表示されたチャンネル。
５１ｂ    …  時刻。
５２  …  ジャンル色表示部。
５３  …  番組名表示部。
５４  …  ジャンル色分け設定表示部。
５５  …  ジャンル色分け設定表示部。
５６  …  ジャンル色分け設定表示部。
６１ａ    …  電子番組表に表示されたチャンネル。
６１ｂ    …  時刻。
６２ａ    …  ジャンル色表示部。
６２ｂ    …  ジャンル色表示部。
６２ｃ    …  ジャンル色表示部。
６３  …  番組名表示部。
６４  …  ジャンル色分け設定表示部。
６５  …  ジャンル色分け設定表示部。
６６  …  ジャンル色分け設定表示部。
１０１    …  入力端子。
１０３    …  番組情報取得部。
１０４ａ  …  ジャンル色分け設定部。
１０４ｂ  …  ジャンル色分け設定記憶部。
１０５    …  ジャンル色分け決定部。
１０６    …  番組表作成部。
【図１】
0003579387.tif 000002
【図２】
0003579387.tif 000003
【図３】
0003579387.tif 000004
【図４】
0003579387.tif 000005
【図５】
0003579387.tif 000006
【図６】
0003579387.tif 000007
【図７】
0003579387.tif 000008
【図８】
0003579387.tif 000009
【図９】
0003579387.tif 000010